(57)【要約】【課題】　防災上の制約を軽減することにより、低コストで、施工性が良い温風装置を得る。【解決手段】　天井等の室内外を隔てる仕切構造９に開口させた取付穴１０に組込まれ、室内側にそれぞれ開口する吸込口４と吹出口５とを有する本体ケーシング６内に、送風機７を組込み室内の空気を吸込んで、室内へ吹出させるように構成し、送風機７の吹出し側には電気ヒーター８を設け、室内へ吹出させる気流を温風とする温風発生部１を構成し、温風発生部１に隣接して室内の空気を吸込み、ダクト２を経て室外へ排気する換気部３を設け、換気部３には通風路１９を構成する防火躯体に通常は通風路１９を開放していて感熱することにより閉止する防火シャッター２１を備えた防火装置１３を組込む。【選択図】　　　　図１
2004045025.tif 000002
【特許請求の範囲】
【請求項１】
天井等の室内外を隔てる仕切構造に開口させた取付穴に組込まれ、室内側にそれぞれ開口する吸込口と吹出口とを有する本体ケーシング内に、送風機を組込みその室内の空気を前記吸込口から吸込んで、前記吹出口から室内へ吹出させるように構成するとともに、前記送風機の吹出し側には加熱手段を設け、室内へ吹出させる気流を温風とする温風発生部を構成し、この温風発生部に隣接して当該室内の空気を吸込み、ダクトを経て室外へ排気する換気部を設け、その換気部には、通風路を構成する防火躯体に通常は当該通風路を開放していて感熱することにより閉止する防火シャッターを備えた防火装置を組込んだ温風装置。
【請求項２】
請求項１に記載の温風装置であって、換気部の防火装置の室内側から防火装置の端までを不燃材料で構成した温風装置。
【請求項３】
請求項１又は請求項２に記載の温風装置であって、温風発生部と換気部とを一体に構成した温風装置。
【請求項４】
請求項１又は請求項２に記載の温風装置であって、温風発生部と換気部とを別体に構成した温風装置。
【請求項５】
請求項４に記載の温風装置であって、温風発生部の本体ケーシングの室内側端にフランジを設け、換気部の室内側端にもフランジを設け、取付穴に対して前記温風発生部の前記フランジが、前記換気部の前記フランジより室内側になるように重ねて取付け得るようにした温風装置。
【請求項６】
請求項４に記載の温風装置であって、温風発生部を取付穴から外すことにより、その取付穴から換気部とダクトのメンテナンスを実施できるように構成した温風装置。
【請求項７】
請求項１に記載の温風装置であって、換気部の防火シャッター部分を単体で室内側から取外すことができるようにした温風装置。
【請求項８】
請求項１〜請求項７までのいずれかに記載の温風装置であって、防火装置の防火シャッターを換気部の室内の空気を吸込むための開口部に臨んで配設した温風装置。
【請求項９】
請求項１〜請求項８までのいずれかに記載の温風装置であって、温風発生部と換気部をグリルによって仕切構造の室内側において被覆するように構成するとともに、このグリルの背面に温風発生部と換気部とを隔てる隔壁を設けた温風装置。
【請求項１０】
天井等の室内外を隔てる仕切構造に開口させた取付穴に組込まれ、室内側にそれぞれ開口する吸込口と吹出口とを有する本体ケーシング内に、送風機を組込みその室内の空気を前記吸込口から吸込んで、前記吹出口から室内へ吹出させるように構成するとともに、前記送風機の吹出し側には加熱手段を設け、室内へ吹出させる気流を温風とする温風発生部を構成し、この温風発生部に隣接して当該室内の空気を吸込み、ダクトを経て住宅の他の換気システムを構成する換気装置により、その換気システムのダクトを共用して屋外へ排気する換気部を設け、その換気部には、通風路を構成する防火躯体に通常は当該通風路を開放していて感熱することにより閉止する防火シャッターを備えた防火装置を組込んだ温風装置を備えた住宅構造。
【発明の詳細な説明】
【技術分野】
【０００１】
　本発明は、主として浴室や洗面所などの室内を乾燥雰囲気にするための温風を形成する温風装置及び温風装置を備えた住宅構造に関するものである。
【背景技術】
【０００２】
　ユニットバス等の普及とともに浴室や洗面所等の多機能化が進んでいる。そうした中で、例えば特開昭６３―７７４９８号公報、特開平４―２４０４９５号公報、実開平６―３８８９５号公報に示されているように、浴室の浴室としての快適性の向上を図るとともに、浴室を乾燥雰囲気にして衣類等の乾燥室としても利用できるようにした乾燥換気装置が開発されてきている。
【０００３】
　これらの乾燥換気装置には、暖房手段を備えその部屋の暖房も行なえるようにしたものもあるが、基本的にはいずれも図７に示すように換気用送風機１０１と循環用送風機１０２と加熱手段１０３とを備え、換気機能と温風乾燥機能とを果たすようになっている。換気機能を果たす換気用送風機１０１も、温風乾燥機能を果たす循環用送風機１０２及び加熱手段１０３も共に、室内外を仕切る天井等の仕切構造に貫通して装着される本体ケーシング１０４内に隔壁により離隔状態にして組込まれている。本体ケーシング１０４の下面には化粧グリル１０５が着脱可能に装着され、換気用送風機１０１の吸込口が化粧グリル１０５の吸込口に臨んでいる。換気用送風機１０１の吐出口は本体ケーシング１０４の一側に設けられたダクト接続口１０６に連絡し、換気用送風機１０１に吸込まれた部屋の空気はダクト接続口１０６に接続されたダクトを経て室外に排気される。
【０００４】
　一方、循環用送風機１０２は換気用送風機１０１に並んで本体ケーシング１０４に組込まれている。循環用送風機１０２の吸込口は化粧グリル１０５の吸込口に臨んでおり、吐出口は化粧グリル１０５の吸込口に並んで設けられた吹出口に連絡している。加熱手段１０３は循環用送風機１０２の吐出口に至る風路の途中に組込まれ、循環用送風機１０２の吹出し気流を加温する。この乾燥換気装置は、浴室等の天井に化粧グリル１０５が天井面に沿って室内に向くように取付けられ、ダクト接続口１０６にはダクトが接続され室外へ連絡される。換気用送風機１０１のみの運転では、室内の空気を吸込みダクトを通じて室外へ排気することができ、室内を換気することができる。また、換気用送風機１０１と循環用送風機１０２並びに加熱手段１０３とを運転させることにより室内を乾燥雰囲気にすることができ、衣類等の乾燥室として利用することもできる。
【０００５】
【特許文献１】特開昭６３―７７４９８号公報
【発明の開示】
【発明が解決しようとする課題】
【０００６】
　上記のような従来の乾燥換気装置は、いわば温風機と換気扇が合体したものであり、温風機が含まれるため換気扇ないしは換気装置単独の構成には適用されない防災上の制約を受ける。即ち、加熱手段１０３回りで万一発火が生じても類焼を防止する防災対策を講じる必要があり、このことからその外殻を構成する本体ケーシング１０４及び換気用のダクトはいずれも不燃材料で構成されている。換気用のダクトについては扱い難いスパイラル・鋼板ダクトを用いることになり、施工性が著しく悪く、コストも増大するといった問題点を含んでいる。
【０００７】
　防災上の理由から換気系側に課せられる制約は、例えば図８に示すように温風機１０７と換気口１０８とを別体としてある程度の間隔をおいて離隔すれば解除することができる。しかしながら、こうした仕方で乾燥換気装置を構成することは、おのおののグリル１０９が室内側に呈出するため室内が煩雑化し、室内意匠が損なわれてしまう。
【０００８】
　住宅における浴室等への温風装置の設置は、快適志向を満たすこととして、あるいは高齢化社会に対応することとして増加しているものの、住宅の設備コストの削減も重要な課題である。また、住宅の高気密・高断熱化が促進される中で、２４時間常時換気システムの普及も進んでいるが、従来の一体型で電気式の乾燥換気装置では、防災上の制限から、上述した換気システムとダクト配管を共有することができない。
【０００９】
　本発明は上記した従来の問題点を解消するためになされたもので、その課題とするところは、換気機能を果たす装置に付随する防災上の制約を軽減することにより、低コストで、施工性が良い温風装置を得ることであり、その温風装置の構成の自由度を高めることであり、メンテナンス性を向上させることであり、他の換気システムとダクトを共有しうる温風装置を得ることであり、設備コストの削減できる防火機能付きの換気システムを備えた住宅構造を得ることである。
【課題を解決するための手段】
【００１０】
　前記課題を達成するために請求項１の発明は、天井等の室内外を隔てる仕切構造に開口させた取付穴に組込まれ、室内側にそれぞれ開口する吸込口と吹出口とを有する本体ケーシング内に、送風機を組込みその室内の空気を吸込口から吸込んで、吹出口から室内へ吹出させるように構成するとともに、送風機の吹出し側には加熱手段を設け、室内へ吹出させる気流を温風とする温風発生部を構成し、この温風発生部に隣接して当該室内の空気を吸込み、ダクトを経て室外へ排気する換気部を設け、その換気部には、通風路を構成する防火躯体に通常は通風路を開放していて感熱することにより閉止する防火シャッターを備えた防火装置を組込む手段を採用する。
【００１１】
　前記課題を達成するために請求項２の発明は、請求項１に係る前記手段における換気部の防火装置の室内側から防火装置の端までを不燃材料で構成する手段を採用する。
【００１２】
　前記課題を達成するために請求項３の発明は、請求項１又は請求項２に係る前記手段における温風発生部と換気部とを一体に構成する手段を採用する。
【００１３】
　前記課題を達成するために請求項４の発明は、請求項１又は請求項２に係る前記手段における温風発生部と換気部とを別体に構成する手段を採用する。
【００１４】
　前記課題を達成するために請求項５の発明は、請求項４に係る前記手段における温風発生部の本体ケーシングの室内側端にフランジを設け、換気部の室内側端にもフランジを設け、取付穴に対して温風発生部のフランジが、換気部のフランジより室内側になるように重ねて取付け得るようにする手段を採用する。
【００１５】
　前記課題を達成するために請求項６の発明は、請求項４に係る前記手段における温風発生部を取付穴から外すことにより、その取付穴から換気部とダクトのメンテナンスを実施できるようにする手段を採用する。
【００１６】
　前記課題を達成するために請求項７の発明は、請求項１に係る前記手段における換気部の防火シャッター部分を単体で室内側から取外すことができるようにする手段を採用する。
【００１７】
　前記課題を達成するために請求項８の発明は、請求項１〜請求項７までのいずれかに係る前記手段における防火装置の防火シャッターを、換気部の室内の空気を吸込むための開口部に臨んで配設する手段を採用する。
【００１８】
　前記課題を達成するために請求項９の発明は、請求項１〜請求項８までのいずれかに係る前記手段における温風発生部と換気部を、グリルによって仕切構造の室内側において被覆するように構成するとともに、このグリルの背面に温風発生部と換気部とを隔てる隔壁を設ける手段を採用する。
【００１９】
　前記課題を達成するために請求項１０の発明は、天井等の室内外を隔てる仕切構造に開口させた取付穴に組込まれ、室内側にそれぞれ開口する吸込口と吹出口とを有する本体ケーシング内に、送風機を組込み室内の空気を吸込口から吸込んで、吹出口から室内へ吹出させるように構成するとともに、送風機の吹出し側には加熱手段を設け、室内へ吹出させる気流を温風とする温風発生部を構成し、この温風発生部に隣接して室内の空気を吸込み、ダクトを経て住宅の他の換気システムを構成する換気装置により、その換気システムのダクトを共用して屋外へ排気する換気部を設け、その換気部には、通風路を構成する防火躯体に通常は通風路を開放していて感熱することにより閉止する防火シャッターを備えた防火装置を組込んだ温風装置を住宅に備える手段を採用する。
【発明の効果】
【００２０】
　以上、実施の形態での説明からも明らかなように、請求項１の発明によれば換気機能を果たす装置に付随する防災上の制約を軽減でき、低コストで、施工性が良く、他の換気システムとダクトを共有しうる自由度の高い温風装置が得られる。
【００２１】
　請求項２の発明によれば、請求項１に係る前記効果とともに防災上の制約の範囲が明確になり、施工がし易くなる。
【００２２】
　請求項３の発明によれば、請求項１又は請求項２に係る前記効果とともに施工性を一層改善することができる。
【００２３】
　請求項４の発明によれば、請求項１又は請求項２に係る前記効果とともに防災上の安全性を高く維持できる。
【００２４】
　請求項５の発明の発明によれば、請求項４に係る前記効果とともに保守性を改善することができる。
【００２５】
　請求項６の発明によれば、請求項４に係る前記効果とともに保守性を一層改善することができる。
【００２６】
　請求項７の発明によれば、請求項１に係る前記効果とともに保守性を改善することができる。
【００２７】
　請求項８の発明によれば、請求項１〜請求項７までのいずれかに係る前記効果とともに防火装置の保守性を改善することができる。
【００２８】
　請求項９の発明によれば、請求項１〜請求項８までのいずれかに係る前記効果とともにより防災上の安全性を保持することができる。
【００２９】
　請求項１０の発明によれば、低コストで防火機能付きの換気システムを備えた住宅構造がえられる。
【発明を実施するための最良の形態】
【００３０】
　次に本発明の実施の形態を図面に基づいて説明する。
実施の形態１．
　図１〜図５に示すこの実施の形態１の温風装置は、浴室等の室内の空気を加温しながら送風して室内に循環気流を形成する温風発生部１と、この温風発生部１とは別体に構成され、室内の空気を吸込み、ダクト２を経て室外へ排気する換気部３とを主体として構成されている。温風発生部１は、室内側にそれぞれ開口する吸込口４と吹出口５とを有する本体ケーシング６の内部に循環用送風機７が組込まれ、循環用送風機７により室内の空気を吸込口４から吸込んで吹出口５から再び室内へ吹出すように構成され、吹出し空気を加温する加熱手段としての電気ヒーター８が循環用送風機７の吹出し側の風路中に設けられている。本体ケーシング６は全体が不燃材料の金属製の箱体として構成され、室内側にそれぞれ吸込口４と吹出口５とが臨むように、天井等の室内外を隔てる仕切構造９に開口させた取付穴１０に、仕切構造９にその下端に設けられたフランジ１１が当接する状態に図示しない取付枠や吊枠等を使って嵌込み装着できるように構成されている。
【００３１】
　換気部３は、温風発生部１の本体ケーシング６とほぼ同じ幅寸法のケーシング１２に防火装置１３が組込まれた構成であり、温風発生部１に隣接して併設される。換気部３のケーシング１２の下端縁にはフランジ１４が形成され、下端は室内に開口させることができる吸込口１５として開口し、上面にはダクト接続可能なエルボー状のダクト接続口１６が着脱可能にネジ１７により取付けられている。換気部３にはそのダクト接続口１６にダクト２を介して換気装置１８が接続され、換気装置１８に接続され、一端が屋外に開口するダクト２を介して、吸込んだ室内の空気を屋外に排気することが可能である。ダクト接続口１６はネジ１７を外し、締付け位置を変えることにより三方向にダクト２との接続方向を変更することができ、これによりダクト２の配管方向の自由度が増す。
【００３２】
　防火装置１３は、図２，３に示すように通風路１９を構成する金属製で筒型の防火躯体２０の通風路１９中に防火シャッター２１を組込んだ構成であり、ダクト接続口１６に取外し可能に挿入固定されている。防火シャッター２１は、通常においては開き側にバネ２２により付勢された、蝶番２３により連結された二枚のブレードから構成されている。この二枚のブレードは、室内側においてバネ２２の付勢に抗して温度ヒューズ２４により連結され、通風路１９を開放する折畳み状態（図２参照）で組付けられている。温度ヒューズ２４が感熱して溶断すると、それまで通風路１９を開放していた二枚のブレードはバネ２２の付勢により開き、通風路１９を図３に示すように閉止することになる。
【００３３】
　温風発生部１の本体ケーシング６と、換気部３のケーシング１２の室内側に露出する部分は、一体化された金属製のグリル２５で仕切構造９の室内側において被覆される。グリル２５は、温風発生部１の吸込口４と吹出口５並びに換気部３の吸込口１５に連絡し、実質的な吸込口４や吹出口５並びに換気用の吸込口１５となる通風開口部２６を備え、図示しないバネ及び掛止手段等により、温風発生部１の本体ケーシング６と換気部３のケーシング１２とに着脱可能に装着される。グリル２５の背面には温風発生部１の本体ケーシング６のフランジ１１又は換気部３のケーシング１２のフランジ１４に先端が当接し、温風発生部１と換気部３との間を隔てる隔壁２７が設けられている。
【００３４】
　この温風装置は、温風発生部１を浴室等の室内側に吸込口４と吹出口５とが臨むように、天井等の室内外を隔てる仕切構造９に開口させた取付穴１０に本体ケーシング６を嵌込み装着し、換気部３を温風発生部１の隣接して開口させた取付穴１０に吸込口１５を室内側に臨ませてケーシング１２を嵌込み装着し、換気部３のダクト接続口１６と換気装置１８の吸込側とをダクト２により接続し、換気装置１８の吹出側をダクト２により屋外に連絡させた後、仕切構造９の室内側からグリル２５を装着することにより、乾燥装置として機能させることができる。温風発生部１の本体ケーシング６は防災上、その全体を金属で構成する必要があるが、換気部３については温風発生部１と別体に構成すれば防災上の制約を受けず、ケーシング１２もダクト２も必ずしも不燃材料にする必要はない。従って、換気部３の低コスト化が可能になり、ダクト２全体も施工の面倒な不燃材料のダクトによらず施工性がよく安価な通常の換気用のものを使用でき、他の換気システムのダクトとダクト２を共有することも可能である。
【００３５】
　特に、換気部３に防火装置１３が組込まれているため、防災上の制約に対する自由度は高く、図４に示すように温風発生部１と換気部３とを共通の本体ケーシング６内に構成することもでき、こうした構成を採った場合でも、防火装置１３より下流側については不燃材料で構成する必要はなくなり、防災上の制約の範囲を明確にできる。また、換気部３のケーシング１２を金属製にすることにより、図５に示すように共通の取付穴１０に温風発生部１と換気部３とを、近接する側のフランジ１１，１４を重ね合わせてネジ２８により共締めにして施工することもでき、この場合でも防火装置１３より下流側については不燃材料で構成する必要はなくなる。このような施工方法による場合、図５に示すように換気部３のフランジ１４の室内側に温風発生部１のフランジ１１が重なり合う構成とすると、温風発生部１を取外せば、取付穴１０を大きく開口させることができ、ここから換気部３全体を外すことなく、その仕切構造９の裏側をメンテナンスすることができ、ダクト接続口１６をケーシング１２から防火装置１３ごと取外して保守・点検を実施することができる。
【００３６】
　さらに、グリル２５の背面の隔壁２７により温風発生部１と換気部３との間がシャッター状に仕切られるので、防災上の安全性が一段と増すことになる。防火シャッター２１は室内側に臨んでおり、グリル２５を外せば露出するため、防火シャッター２１の動作試験も簡単に実施でき、防火シャッター２１の復帰操作や温度ヒューズ２４の交換も容易に行なうことができる。万一、換気部３側に火炎が入った場合には、直ちに温度ヒューズ２４が溶断し、防火シャッター２１が動作して防火躯体２０の通風路１９を閉止して火気を遮断する。このように、換気に関する入口側で火気を遮断することにより、それ以降のダクト２を通じて火気が他へ伝播することが回避でき、接続された換気装置１８も火気から保護されることになる。なお、機能面では温風発生部１のみを運転させることにより、温風による室内暖房を行なうこともでき、換気装置１８のみを運転することにより、室内換気を行なうこともできる。
【００３７】
実施の形態２．
　図６に示すこの実施の形態２は、実施の形態１で示した温風装置を適用した住宅構造に関するものであり、温風装置自体の構成は実施の形態１で示したものと同じである。従って、実施の形態１のものと同じ部分については同一の符号を用い、それらについての説明は省略する。
【００３８】
　この住宅２９は高気密・高断熱構造であり、図６に示すように住宅２９の個室３０など居住ゾーンから屋外の新鮮な空気を導入するように構成され、導入された新鮮な空気は居住ゾーンを巡り、浴室３１、洗面所３２、トイレ３３などのサニタリーゾーンから集中排気する構成である。換気装置１８は中間ダクト換気扇３４で構成され、サニタリーゾーンの各換気口３５及び、浴室３１等に設けた温風装置の換気部３がそれぞれ中間ダクト換気扇３４の吸込側にダクト２を介して接続されている。中間ダクト換気扇３４はサニタリーゾーンから汚濁した空気をダクト２を介して吸込み、一括してダクト２を介して屋外へ排気する。この換気システムは２４時間常時換気システムであり、実施の形態１で示した防火装置１３付きの温風装置を適用することにより、中間ダクト換気扇３４は、金属製の外郭で構成する必要がなく、既存の樹脂製の外郭のものを使うことができる。そして、各ダクト２も同一の換気用のダクト２を共用でき、安価に防火機能付きの２４時間常時換気システムを備えた住宅２９が得られる。
【図面の簡単な説明】
【００３９】
【図１】実施の形態１の温風装置を取付状態で示す断面図である。
【図２】実施の形態１の温風装置の防火装置を単独に示す断面図である。
【図３】実施の形態１の温風装置の防火装置の動作を示す断面図である。
【図４】実施の形態１の他の温風装置を取付状態で示す断面図である。
【図５】実施の形態１のさらに他の温風装置を取付状態で示す断面図である。
【図６】実施の形態２の防火機能付き住宅の換気についての構成図である。
【図７】従来の乾燥換気装置の構成例を示す分解斜視図である。
【図８】従来技術としての換気乾燥装置の他の構成例を示す構成図である。
【符号の説明】
【００４０】
　１　温風発生部、　２　ダクト、　３　換気部、　４　吸込口、　５　吹出口、　６　本体ケーシング、　７　循環用送風機、　８　電気ヒーター、　９　仕切構造、　１０　取付穴、　１１　フランジ、　１２　ケーシング、　１３　防火装置、　１４　フランジ、　１５　吸込口、　１６　ダクト接続口、　１８　換気装置、　１９　通風路、　２０　防火躯体、　２１　防火シャッター、　２４　温度ヒューズ、　２５　グリル、　２７　隔壁、　２９　住宅、　３４　中間ダクト換気扇。
【図１】
2004045025.tif 000003
【図２】
2004045025.tif 000004
【図３】
2004045025.tif 000005
【図４】
2004045025.tif 000006
【図５】
2004045025.tif 000007
【図６】
2004045025.tif 000008
【図７】
2004045025.tif 000009
【図８】
2004045025.tif 000010